(57)【特許請求の範囲】
【請求項１】
吸込口と吹出口とを結ぶ空気通路内に送風機と空気清浄フィルタとを少なくとも備えた空気清浄機能を有するベース構成部を含む空気清浄機であって、
前記ベース構成部の周囲に、複数に分割された外観パネルを順次ネジ止めしながら固定する際に、前に固定した外観パネルのネジ止め部を、後で固定する外観パネルで順次覆い隠すことで筐体部を構成し、
前記ベース構成部に対して少なくとも最後に固定する前記筐体部を構成する前記外観パネルは、爪止めによって固定することを特徴とする空気清浄機。 
【請求項２】
前記外観パネルは、天面パネル、前面パネル、右側面パネル、左側面パネル、および背面パネルで構成されていることを特徴とする請求項１に記載の空気清浄機。 
【請求項３】
前記外観パネルは、前記吸込口に設けられた前記空気清浄フィルタを通風可能に覆うリアガードを前記ベース構成部に対してネジ止めした後、前記天面パネル、前記前面パネル、前記左右の側面パネルの順序で前記ベース構成部に対して固定し、
前記ベース構成部に対して最後に爪止めによって固定する前記外観パネルは、前記リアガードを通風可能に覆う前記背面パネルであって、前記リアガード、前記天面パネル、前記前面パネル、前記左右の側面パネルを固定するネジ止め部のうち、少なくとも一つのネジ止め部を前記背面パネルで覆い隠すことを特徴とする請求項２に記載の空気清浄機。
【発明の詳細な説明】
【技術分野】
【０００１】
本発明は、空気清浄機能を備えたベース構成に対し、複数の外観パネルを取り付けることによって筐体部が構成される空気清浄機に関する。
【背景技術】
【０００２】
従来の空気清浄機は、筐体内の送風機により吸込口から取り込んだ空気を吹出口から吐出する間に、空気中の塵を除去する集塵機能、空気中の臭いを脱臭する脱臭機能、空気中にイオン等を放出して脱臭・除菌等を行う機能、および空気を加湿する加湿機能などを行う各種機能部を具備し、空気を清浄化している。
【０００３】
図１６−１は、従来の空気清浄機の外観斜視図であり、図１６−２は、図１６−１のＴ−Ｔ線断面図である。従来の空気清浄機２００は、図１６−１に示すように、略直方体形状をしていて、前面パネル２１０に対し各機能部を組み付けた後、背面パネル２２０で覆い、ネジ止め部２２１ａ、２２２ａ、２２３ａで固定することにより筐体部が構成されていた。
【０００４】
この背面パネル２２０の水平断面形状は、図１６−２に示すように、前面パネル２１０に対し「コの字」状をしている。このため、従来の空気清浄機２００は、前面パネル側に各機能部２１１を組み付けた後、背面パネル２２０をネジ止め部２２２ａでネジ止めする際に、本体の厚さが厚いと、前面パネル２１０から伸びるネジ止め用のスリーブ２２２ｂと、背面パネル側から伸びるネジ止め用のスリーブ２２２ｃとを形成する必要があった。
【０００５】
また、特許文献１にかかる従来の加湿器は、加湿器本体に対して、前面パネル、右側面パネル、左側面パネル、天面パネル、および背面パネルに分けて順次組み付けた後、天面パネルと背面パネルをネジで固定していた。
【先行技術文献】
【特許文献】
【０００６】
【特許文献１】特開２００９−５２８４１号公報
【発明の概要】
【発明が解決しようとする課題】
【０００７】
図１６−１に示すような従来の空気清浄機にあっては、長く伸びるネジ止め用のスリーブ２２２ｂ、２２２ｃを形成する必要があるため、有効に使えないスペース２３０が発生してしまい、製品が大型化すると共に、ネジ止め部２２２ａが露出して、外観意匠性を損なう問題があった。
【０００８】
また、特許文献１にかかる従来の加湿器にあっては、筐体部が複数の外観パネルで構成されていて、順次組み付けを行っているが、天面パネルと背面パネルとを加湿器本体にネジで固定するため、ネジ止め部が露出してしまい、外観意匠性を損なう問題があった。
【０００９】
本発明は、上記に鑑みてなされたものであって、スペース効率が良く、ネジ止め部が露出しない外観意匠性の良好な空気清浄機を提供することを目的とする。
【課題を解決するための手段】
【００１０】
上述した課題を解決し、目的を達成するために、本発明の空気清浄機は、吸込口と吹出口とを結ぶ空気通路内に送風機と空気清浄フィルタとを少なくとも備えた空気清浄機能を有するベース構成部を含む空気清浄機であって、前記ベース構成部の周囲に、複数に分割された外観パネルを順次ネジ止めしながら固定する際に、前に固定した外観パネルのネジ止め部を、後で固定する外観パネルで順次覆い隠すことで筐体部を構成し、前記ベース構成部に対して少なくとも最後に固定する前記筐体部を構成する前記外観パネルは、爪止めによって固定することを特徴とする。 
【００１１】
また、本発明の空気清浄機において、前記外観パネルは、天面パネル、前面パネル、右側面パネル、左側面パネル、および背面パネルで構成されていることが好ましい。
【００１２】
また、本発明の空気清浄機において、前記外観パネルは、前記吸込口に設けられた前記空気清浄フィルタを通風可能に覆うリアガードを前記ベース構成部に対してネジ止めした後、前記天面パネル、前記前面パネル、前記左右の側面パネルの順序で前記ベース構成部に対して固定し、前記ベース構成部に対して最後に爪止めによって固定する前記外観パネルは、前記リアガードを通風可能に覆う前記背面パネルであって、前記リアガード、前記天面パネル、前記前面パネル、前記左右の側面パネルを固定するネジ止め部のうち、少なくとも一つのネジ止め部を前記背面パネルで覆い隠すことが好ましい。
【発明の効果】
【００１３】
本発明によれば、筐体部を構成する複数の外観パネルをベース構成部に対して順次ネジ止めする際に、前に固定した外観パネルのネジ止め部を、後で固定する外観パネルで順次覆い隠すことで、ネジ止め用のスリーブが不要となり、小型化が実現できると共に、ネジ止め部が露出しない外観意匠性の良好な空気清浄機が得られるという効果を奏する。
以上
【図面の簡単な説明】
【００１４】
【図１】図１は、本発明にかかる空気清浄機の前方方向の外観斜視図である。
【図２】図２は、本発明にかかる空気清浄機の後方方向の外観斜視図である。
【図３】図３は、図１のＵ−Ｕ線断面図である。
【図４−１】図４−１は、図２の空気清浄機内部の空気清浄機能を有するベース構成部の斜視図である。
【図４−２】図４−２は、図４−１にリアガードを固定した状態を示す斜視図である。
【図４−３】図４−３は、図４−２に天面パネルを固定した状態を示す斜視図である。
【図４−４】図４−４は、図４−３に前面パネルを固定した状態を示す斜視図である。
【図４−５】図４−５は、図４−４に左右の側面パネルを固定した状態を示す斜視図である。
【図４−６】図４−６は、図４−５に左右の背面パネルを固定した状態を示す斜視図である。
【図５−１】図５−１は、図４−１を矢印Ｄ方向から見た矢指図である。
【図５−２】図５−２は、図５−１にリアガードを固定した状態を示す斜視図である。
【図５−３】図５−３は、図５−２に天面パネルを固定した状態を示す斜視図である。
【図５−４】図５−４は、図５−３に前面パネルを固定した状態を示す斜視図である。
【図６−１】図６−１は、図４−１を矢印Ｅ方向から見た矢指図である。
【図６−２】図６−２は、図６−１にリアガードを固定した状態を示す斜視図である。
【図６−３】図６−３は、図６−２に天面パネルを固定した状態を示す斜視図である。
【図６−４】図６−４は、図６−３に前面パネルを固定した状態を示す斜視図である。
【図７】図７は、図４−３のＶ−Ｖ線断面図の一部を示す図である。
【図８】図８は、図７に示すリアガード側の突片と嵌合する天面パネル側の嵌合孔との斜視図である。
【図９】図９は、図４−５のＷ−Ｗ線断面図を示す図である。
【図１０】図１０は、図４−５の天面パネルに左側面パネルを取り付ける取付構造の一例を示す図である。
【図１１】図１１は、図４−５のＸ−Ｘ線断面図を示す図である。
【図１２】図１２は、図４−５に示すリアガードの吸込グリルと図４−６に示す背面パネルとの間に装着する集塵フィルタとプレフィルタの分解図である。
【図１３】図１３は、図１２のＺ−Ｚ線断面図である。
【図１４】図１４は、図６−３の天面パネルに図６−４の前面パネルを取り付ける取付構造の一例を示す図である。
【図１５】図１５は、図６−４のＹ−Ｙ線断面図である。
【図１６−１】図１６−１は、従来の空気清浄機の外観斜視図である。
【図１６−２】図１６−２は、図１６−１のＴ−Ｔ線断面図である。
【発明を実施するための形態】
【００１５】
以下に、本発明にかかる空気清浄機の実施例を図面に基づいて詳細に説明する。なお、以下の説明により本発明が限定されるものではない。また、以下の説明による構成要素には、当業者が置換可能かつ容易なもの、或いは実質的同一のもの、いわゆる均等の範囲のものが含まれる。また、この実施例に記載された複数の変形例は、当業者自明の範囲内にて任意に組み合わせが可能である。
【実施例１】
【００１６】
まず、本発明にかかる空気清浄機の外観の構成を説明する。図１は、本発明にかかる空気清浄機の前方方向の外観斜視図であり、図２は、本発明にかかる空気清浄機の後方方向の外観斜視図である。
【００１７】
空気清浄機１００は、ここでは内部に送風機と、空気清浄機能を有する各種フィルタ（プレフィルタ、集塵フィルタ、ヒータ付き脱臭ユニット等）と、空気を加湿する気化フィルタとを備え、吸込口から導入した空気を清浄化して吹出口から吐出するものである。図１および図２に示すように、筐体部８０が縦長の略直方体形状で構成されており、面積の最も大きい一方の側面を前面パネル４０とし（図１参照）、前面パネル４０と対向する他方の側面を背面パネル７０として（図２参照）、多数の開口部が設けられた空気の吸込口７１が形成されている。前面パネル４０と背面パネル７０以外の左側面パネル５０と右側面パネル６０には、空気清浄機１００を持ち運ぶための把手を兼ねた凹部が形成されている。また、空気清浄機１００の上面を構成する天面パネル３０には、ユーザが空気清浄機１００を運転操作するための各種ボタンやランプ等が配置された操作パネル３２と、その操作パネル３２に隣接する位置に手動により開閉可能な矩形状のルーバ３１とが配されている。このルーバ３１は、後述の図３に示すように上方に開閉可能であって、ルーバ３１を開くことにより、清浄化された空気の吹出口３３となる。
【００１８】
次に、空気清浄機１００の具体的な内部構成について図を用いて説明する。図３は、図１のＵ−Ｕ線断面図である。実施例１の空気清浄機１００の内部構成は、図３に示すように、筐体部８０の内部に吸込口７１から吹出口３３までを結ぶ空気通路１７が形成されている。この空気通路１７の途中に設けられた送風機１４は、ファンモータ１４ａとシロッコファンなどのファン１４ｂで構成され、ファンモータ１４ａがファン１４ｂを回すことによって、吸込口７１から外部空気が吸引される（白抜き矢印Ａ）。吸引された空気は、既存の脱臭器等で使用されているプレフィルタ８１、集塵フィルタ８２、およびヒータ脱臭ユニット１２を通過する間に、除塵・脱臭処理が行われる。
【００１９】
ヒータ脱臭ユニット１２の風下側には、気化フィルタ１３が配置されている。この気化フィルタ１３は、回転軸１３ａに直交する面に沿って回転可能な円盤状の吸水性フィルタで構成されており、フィルタの外周部に水車と同じ水汲みポケット（不図示）が一定間隔で同じ方向に配置されている。水車型の気化フィルタ１３は、加湿運転中に一定速度で回転させることで、給水トレイに貯めた水を水汲みポケットが汲み上げ、頂点付近で中の水を気化フィルタ１３に順次掛けることで、湿潤状態を保つことができる。気化フィルタ１３のフィルタ材としては、ここでは、ポリエステルとレーヨンを５０：５０の割合で配合し、プリーツ構造に形成し、通気性と吸水性とを兼ね備えているが、必ずしもこの材質や配合割合に限定されない。気化フィルタ１３は、水を吸水して湿潤した状態で空気が通過する間に、水が気化して空気を加湿することができる。
【００２０】
送風機１４は、気化フィルタ１３で加湿された空気を上方へ伸びる空気通路１７へと送り出し（白抜き矢印Ｂ）、上面のルーバ３１を開けた吹出口３３から清浄化された空気を外部へ吐出する（白抜き矢印Ｃ）。
【００２１】
実施例１における空気清浄機１００は、空気通路１７を通過する空気の一部を分岐させ、オゾン発生ユニット１６に取り込んでＵＶランプ１６ａを照射することで、オゾンを発生させることができる。また、空気通路１７内には、図３に示すように、イオン発生器としてのイオナイザ１８がオゾン発生ユニット１６とは別に配置されている。イオナイザ１８は、針状の電極を備えていて、電極に例えば数ｋＶの高電圧を印加すると、電極の先端でコロナ放電が生じ、マイナスイオンとオゾンを発生させる。イオナイザ４６から発生したマイナスイオンは、同じくイオナイザ４６やオゾン発生ユニット１６から発生したオゾンと反応して、強い酸化力を有するＯＨラジカルを生成する。
【００２２】
このように、空気清浄機１００は、空気清浄機能を有するベース構成部を形成した後、そのベース構成部の外周部に対して、外観パネルとしての天面パネル、前面パネル、右側面パネル、左側面パネル、および背面パネルを順次ネジ止め固定、あるいは、爪止め固定することにより、筐体部８０を形成している。実施例１における空気清浄機１００の特徴は、ベース構成部に対して複数に分割された外観パネルを順次固定していく際に、前に固定した外観パネルのネジ止め部を、後で固定する外観パネルによって覆い隠すようにして筐体部８０を構成し、少なくとも最後にベース構成部に固定する外観パネルは、爪止めによって固定するようにした点にある。これにより、ネジ止め部が露出するのを防止し、外観意匠性の良好な空気清浄機を得ることができる。また、従来から使われていたネジ止め用のスリーブが不要となるため、機器を小型化することができる。以下、ベース構成部に対して外観パネルを順次固定していく動作について図を用いて説明する。
【００２３】
［ベース構成部に対する外観パネルの固定動作］
図４−１は、図２の空気清浄機内部の空気清浄機能を有するベース構成部の斜視図であり、図４−２は、図４−１にリアガードを固定した状態を示す斜視図であり、図４−３は、図４−２に天面パネルを固定した状態を示す斜視図であり、図４−４は、図４−３に前面パネルを固定した状態を示す斜視図であり、図４−５は、図４−４に左右の側面パネルを固定した状態を示す斜視図であり、図４−６は、図４−５に左右の背面パネルを固定した状態を示す斜視図である。また、図５−１は、図４−１を矢印Ｄ方向から見た矢指図であり、図５−２は、図５−１にリアガードを固定した状態を示す斜視図であり、図５−３は、図５−２に天面パネルを固定した状態を示す斜視図であり、図５−４は、図５−３に前面パネルを固定した状態を示す斜視図である。また、図６−１は、図４−１を矢印Ｅ方向から見た矢指図であり、図６−２は、図６−１にリアガードを固定した状態を示す斜視図であり、図６−３は、図６−２に天面パネルを固定した状態を示す斜視図であり、図６−４は、図６−３に前面パネルを固定した状態を示す斜視図である。さらに、図７は、図４−３のＶ−Ｖ線断面図の一部を示す図であり、図８は、図７に示すリアガード側の突片と嵌合する天面パネル側の嵌合孔との斜視図であり、図９は、図４−５のＷ−Ｗ線断面図を示す図であり、図１０は、図４−５の天面パネルに左側面パネルを取り付ける取付構造の一例を示す図であり、図１１は、図４−５のＸ−Ｘ線断面図を示す図であり、図１２は、図４−５に示すリアガードの吸込グリルと図４−６に示す背面パネルとの間に装着する集塵フィルタとプレフィルタの分解図であり、図１３は、図１２のＺ−Ｚ線断面図であり、図１４は、図６−３の天面パネルに図６−４の前面パネルを取り付ける取付構造の一例を示す図であり、図１５は、図６−４のＹ−Ｙ線断面図である。
【００２４】
まず、図４−１に示すベース構成部１０は、ベース１１上のケーシングに各種機能部（ヒータ脱臭ユニット１２、送風機１４、ダクト１５、オゾン発生ユニット１６、センターガード１９等）を組み付けることにより構成されている。図４−１のベース１１には、リアガード２０下端部の固定爪２０ｅを差し込んで固定する固定溝１１ａと、後述する背面パネル７０の下端部の爪を差し込んで固定する固定溝１１ｂとが予め形成されている。なお、図５−１〜図５−４は、図４−１を矢印Ｄ方向から見た組み付け状態を示しており、図６−１〜図６−４は、図４−１を矢印Ｅ方向から見た組み付け状態を示している。図５−１では、ベース構成部１０の右側面に気化フィルタ１３を挿入する気化フィルタ挿入口１１ｅが形成されており、前面側のケーシングには、前面パネル４０を固定するネジ穴１１ｃと、右側面パネル６０を固定するための固定孔１１ｄとが予め形成されている。また、図６−１では、ベース構成部１０の左側面に、前面パネル４０を固定するネジ穴１１ｆが予め形成されている。図６−１に示すように、ベース構成部１０の前面部には、送風機１４と空気通路１７を構成するダクト１５が配置されている。
【００２５】
続いて、図４−２では、図４−１のベース構成部１０のセンターガード１９およびヒータ脱臭ユニット１２の全面を覆って保護するためのリアガード２０が背面側に取り付けられている。このリアガード２０は、下端部の２ヶ所に突き出た固定爪２０ｅ（図７参照）を図４−１および図７に示す固定溝１１ａに差し込むと共に、センターガード１９に対してネジ止め部２０ａを用いて固定される。これを図５−２で見ると、固定されたリアガード２０には、後述する背面パネル７０を固定するための爪固定溝２０ｂ、および、後述する右側面パネルを固定するための爪固定孔２２が予め形成されている。また、図６−２では、ベース構成部１０の背面側にリアガード２０が取り付けられていることがわかる。
【００２６】
続いて、図４−３では、取り付けられたリアガード２０とベース構成部１０の上面部を覆う天面パネル３０が取り付けられる。この天面パネル３０の取り付けは、まず、図６−３に示すように、正面側に突き出た固定爪３０ａをオゾン発生ユニット１６の固定孔１６ａに差し込んで固定する。また、図４−３のＶ−Ｖ線断面図である図７、およびその取り付け方を示す図８に示すように、図６−３の天面パネル３０の固定爪３０ａとは反対側の面に、固定孔３０ｂが設けられ、リアガード２０の上端付近の対向位置には、固定爪２０ｄが設けられている。天面パネル３０を取り付ける場合は、リアガード２０のネジ止め部２０ａを少し緩めて、天面パネル３０の固定孔３０ｂにリアガード２０の固定爪２０ｄを差し込んだ後、ネジ止め部２０ａで締め付けることにより、リアガード２０と天面パネル３０の両方を固定することができる。これを、図５−３で見ると、リアガード２０と天面パネル３０の両方を固定するネジ止め部２０ａが露出していることがわかる。
【００２７】
続いて、図４−４、図５−４、および図６−４に示すように、取り付けられた天面パネル３０の前面部と接するように、前面パネル４０が取り付けられる。前面パネル４０を取り付けるに当たっては、図６−３に示すＦ位置、および図６−４に示すＧ位置、およびこれらを拡大した図１４、および、図６―４のＹ−Ｙ線断面図である図１５を参照して説明する。図１４に示すように、天面パネル３０の前面、および側面端部には、基準突起部３０ｄ、３０ｅが形成されており、これに対応する前面パネル４０の内側上端部には、基準突起部３０ｄ、３０ｅに嵌合する溝が形成されている（図１５参照）。このため、天面パネル４０の基準突起部３０ｄ、３０ｅに前面パネル４０の溝を嵌合させて被せることにより、前面パネル４０は、天面パネル３０に対して、左右方向、前後方向、および上下方向の位置決めを容易かつ正確に行うことができる。このようにして位置決めされた前面パネル４０は、図４−１のベース構成部１０に設けられたネジ穴１１ｆと、図５−１のベース構成部１０に設けられたネジ穴１１ｃとを使い、図４−４に示すネジ止め部４０ｂと、図５−４に示すネジ止め部４０ａとによってベース構成部１０に固定される。このようにして、前面パネル４０が天面パネル３０に接した状態で正確に位置決め固定されたのが、図６−４である。
【００２８】
続いて、図４−５では、取り付けられた前面パネル４０のネジ止め部４０ｂ（図４−４参照）と、リアガード２０および天面パネル３０のネジ止め部２０ａ（図５−３参照）とを覆い隠すように左側面パネル５０が取り付けられる。また、前面パネル４０のネジ止め部４０ａ（図５−４参照）と、リアガード２０および天面パネル３０のネジ止め部２０ａ（図５−３参照）とを覆い隠すように右側面パネル６０が取り付けられる。
【００２９】
まず、左側面パネル５０の取り付け手段については、図４−５のＷ−Ｗ線断面図である図９に示すように、前面パネル４０と接する左側面パネル５０の先端部の裏面側には、前面パネル４０を挟み込むための固定爪５０ｃが設けられている。この左側面パネル５０と固定爪５０ｃとの間に前面パネル４０を挟み込んで付き当てることにより、縦ラインの位置合わせを行うことができる。
【００３０】
また、図４−５のＸ−Ｘ線断面図である図１１、およびその取り付け手段を示す図１０では、左側面パネル５０の上端付近に所定間隔をおいて複数設けられた固定孔５０ｂに対して、天面パネル３０の下端付近に所定間隔をおいて複数設けられた固定爪３０ｃを嵌合させることにより、横ラインの位置合わせを行うことができる。このようにして、左側面パネル５０は、前面パネル４０と天面パネル３０に対して位置合わせを行った後、図４−５に示すネジ止め部５０ａにより固定される。このネジ止め部５０ａに用いられるネジ穴２０ｃは、図５−２〜図５−４に示すように、リアガード２０に予め形成されたものを用いている。
【００３１】
続いて、右側面パネル６０の取り付け手段は、図５−１〜図５−４に示すケーシングに形成された３ヶ所の固定孔１１ｄに対応する先端付近に不図示の固定爪が形成されていて、この固定爪をケーシングに形成された３ヶ所の固定孔１１ｄに差し込む。これにより、右側面パネル６０の縦ラインと横ラインの位置合わせを行うと共に、先端部を固定することができる。そして、右側面パネル６０の背面側の端部中央には、図４−５に示すように、固定爪６１が設けられていて、図５−４に示すリアガード２０の固定孔２２に右側面パネル６０の固定爪６１を差し込むことにより、容易に固定することができる。また、固定爪６１を起こすことにより、右側面パネル６０の取り外しを容易に行うことができる。このため、右側面パネル６０は、図５−４に示す気化フィルタ挿入口１１ｅに相当するため、気化フィルタ１３へ水を供給するための給水タンク（不図示）の水補給やメンテナンス時に手軽に開閉動作を行うことができる。
【００３２】
続いて、図４−６では、取り付けられた左側面パネル５０と右側面パネル６０と天面パネル３０とで囲まれた空間に、空気の吸込口７１を備えた背面パネル７０をネジ止めではなく、爪止め方式により固定する。ここで、図４−５に示す吸込グリル２１と図４−６に示す背面パネル７０との間には、図１２に示すように、集塵フィルタ８２とプレフィルタ８１とが挿入される。図１２に示すように、吸込グリル２１に対して集塵フィルタ８２を挿入後、プレフィルタ８１が挿入される。これを図１２のＺ−Ｚ線断面図である図１３で見ると、プレフィルタ８１の右端側が左側面パネル５０の湾曲部で抑えられた状態で、左端を押し込むことで、プレフィルタ８１の左端に設けられた爪がリアガード２０に設けられた溝に嵌まって固定される。また、このプレフィルタ８１のつまみを引いて爪を起こすと、爪がリアガード２０の溝から外れ、プレフィルタ８１と集塵フィルタ８２とを取り出すことができる。
【００３３】
このようにして、リアガード２０の吸込グリル２１に対して、プレフィルタ８１と集塵フィルタ８２とを取り付けた後、図４−６に示すように背面パネル７０の取り付けが行われる。すなわち、背面パネル７０の下端部の両端付近には、不図示の固定爪が形成されていて、この固定爪を図４−５に示す固定溝１１ｂに差し込むことにより、背面パネル７０の下端部を固定することができる。また、背面パネル７０の上端部の両端付近には、図４−６に示すように固定爪７０ａが形成されており、図４−５に示すリアガード２０に予め形成されている爪固定溝２０ｂに背面パネル７０の固定爪７０ａを差し込むことにより、容易に固定することができる。また、固定爪７０ａを指で押し下げると、リアガード２０の爪固定溝２０ｂから固定爪７０ａが外れ、背面パネル７０を容易に取り外すことができる。このように、背面パネル７０の固定手段としては、固定爪７０ａを用いているため、ネジ止め部が露出することがない。また、背面パネル７０を取り付ける前の図４−５では、左側面パネル５０を固定するためのネジ止め部５０ａが露出しているが、図４−６に示すように、背面パネル７０を取り付けることによって、ネジ止め部５０ａが覆い隠すことができるため、外観上ネジ止め部が全く露出しない空気清浄機１００とすることができる。
【００３４】
以上説明したように、実施例１にかかる空気清浄機１００は、空気清浄機能を有するベース構成部に対して、天面パネル３０、前面パネル４０、左側面パネル５０、右側面パネル６０、背面パネル７０のように複数に分割された外観パネルを順次ネジ止めしながら組付けて行き、筐体部が構成される。その際、前に固定した外観パネルのネジ止め部を、後で固定する外観パネルで覆い隠して行き、ベース構成部に対して最後に固定する筐体部を構成する外観パネルを爪止め手段を使って固定するようにしたため、ネジ止め用のスリーブが不要となり、小型化が実現できると共に、ネジ止め部が一切露出しない外観意匠性の良好な空気清浄機を得ることができる。
【００３５】
なお、上記実施例１では、複数に分割された外観パネルを天面パネル３０、前面パネル４０、左側面パネル５０、右側面パネル６０、背面パネル７０として説明したが、必ずしもこの分割に限定する趣旨ではなく、外観パネルを種々の形状に分割して、順次組み付けを行っても良い。
【００３６】
また、上記実施例１では、リアガード２０→天面パネル３０→前面パネル４０→左側面パネル５０→右側面パネル６０→背面パネル７０の順序で組み付けを行った例で説明したが、必ずしもこの順序に限定されない。
【００３７】
また、上記実施例１では、外観パネルの固定手段として、ネジ止め部以外は、爪止め部、あるいは、固定孔や固定溝に固定爪を差し込むようにして構成したが、これも固定手段の一例であって、外観意匠性の良好な固定手段であれば、種々の固定手段を組み合わせて実施することも可能である。
【００３８】
また、上記実施例１では、リアガード２０と天面パネル３０とを同じネジ止め部２０ａで兼用したが、個別のネジ止め部で固定しても良く、後で固定する外観パネルで覆い隠すことが可能であれば、ネジ止め部の個数や位置は限定されない。
【産業上の利用可能性】
【００３９】
以上のように、本発明にかかる空気清浄機は、空気清浄機能を有する複数の外観パネルで筐体部が構成されている空気清浄機に有用であり、特に、小型化で外観意匠性の高い空気清浄機に適している。
【符号の説明】
【００４０】
１００  空気清浄機
１０  ベース構成部
１１  ベース
１１ａ  固定溝
１１ｂ  固定溝
１１ｃ  ネジ穴
１１ｄ  固定孔
１１ｅ  気化フィルタ挿入口
１１ｆ  ネジ穴
１２  ヒータ脱臭ユニット
１３  気化フィルタ
１３ａ  回転軸
１４  送風機
１４ａ  ファンモータ
１４ｂ  ファン
１５  ダクト
１６  オゾン発生ユニット
１６ａ  固定孔
１６ｂ  ＵＶランプ
１７  空気通路
１８  イオナイザ
１９  センターガード
２０  リアガード
２０ａ  ネジ止め部
２０ｂ  爪固定溝
２０ｃ  ネジ穴
２１  吸込グリル
２２  爪固定孔
３０  天面パネル
３０ａ  固定爪
３１  ルーバ
３２  操作パネル
３３  吹出口
４０  前面パネル
４０ａ  ネジ止め部
４０ｂ  ネジ止め部
５０  左側面パネル
５０ａ  ネジ止め部
６０  右側面パネル
６１  固定爪
７０  背面パネル
７０ａ  固定爪
７１  吸込口
８０  筐体
８１  プレフィルタ
８２  集塵フィルタ
【図１】
0005533417.tif 000002
【図２】
0005533417.tif 000003
【図３】
0005533417.tif 000004
【図４−１】
0005533417.tif 000005
【図４−２】
0005533417.tif 000006
【図４−３】
0005533417.tif 000007
【図４−４】
0005533417.tif 000008
【図４−５】
0005533417.tif 000009
【図４−６】
0005533417.tif 000010
【図５−１】
0005533417.tif 000011
【図５−２】
0005533417.tif 000012
【図５−３】
0005533417.tif 000013
【図５−４】
0005533417.tif 000014
【図６−１】
0005533417.tif 000015
【図６−２】
0005533417.tif 000016
【図６−３】
0005533417.tif 000017
【図６−４】
0005533417.tif 000018
【図７】
0005533417.tif 000019
【図８】
0005533417.tif 000020
【図９】
0005533417.tif 000021
【図１０】
0005533417.tif 000022
【図１１】
0005533417.tif 000023
【図１２】
0005533417.tif 000024
【図１３】
0005533417.tif 000025
【図１４】
0005533417.tif 000026
【図１５】
0005533417.tif 000027
【図１６−１】
0005533417.tif 000028
【図１６−２】
0005533417.tif 000029